(57)【要約】      （修正有）【課題】均一で柔らかい発光を幅広い発光面積で放ち、かつ放熱性に優れた灯管構造を提供する。【解決手段】灯管構造１は、中空管体を含み、中空管体は、透光灯シェード１１と放熱カバー１５とを含み、透光灯シェード１１は、平面板１２と、平面板１２の両側から延伸する互いに対称な２つの弧状板１３とを備え、放熱カバー１５の両側縁は、それぞれ２つの弧状板１３の側縁に係合されている。均一で柔らかい発光を得ることができ、さらに透光灯シェード１１の幅を大きくすることができ、発光面積を向上させることができ、灯管の使用数量を減らすことができる。また透光灯シェード１１に結合する放熱カバー１５の幅を広くすることができるので、放熱面積が大きくなり、放熱性を高めることができ、ワット数を向上させることができる。【選択図】図２
0003217126.tif 000002
【実用新案登録請求の範囲】
【請求項１】
中空管体を含み、
前記中空管体は、透光灯シェードと放熱カバーとを含み、
前記透光灯シェードは、平面板と、前記平面板の両側から延伸する互いに対称な２つの弧状板とを備え、
前記放熱カバーの両側縁は、それぞれ前記２つの弧状板の側縁に係合されることを特徴とする灯管構造。
【請求項２】
更に、灯管ボード及び電源モジュールを含み、
前記灯管ボードは、前記透光灯シェード内に固定され、且つ、
前記灯管ボードは、載置ボードと、前記載置ボードに配置される発光ユニットとを含み、
前記電源モジュールは、前記放熱カバー内に固定されるとともに前記灯管ボードに電気的に接続されることを特徴とする請求項１記載の灯管構造。
【請求項３】
前記放熱カバーの両側縁の間には、水平板が設けられ、
前記灯管ボードは、前記水平板に設けられることを特徴とする請求項２記載の灯管構造。
【請求項４】
前記発光ユニットは、複数のＬＥＤ電球を含み、
複数のＬＥＤ電球は、前記載置ボード上に固定して配列されることを特徴とする請求項２記載の灯管構造。
【請求項５】
前記透光灯シェードの前記平面板は、複数のＬＥＤ電球を覆っていることを特徴とする請求項４記載の灯管構造。
【請求項６】
前記放熱カバーは、金属製のカバーであることを特徴とする請求項１記載の灯管構造。
【請求項７】
前記放熱カバーの外側には、放熱フィンが設けられることを特徴とする請求項１記載の灯管構造。
【請求項８】
前記放熱カバーは、中央平面板と、前記中央平面板の両側から延伸する２つの弧状サイド板とを備え、
前記放熱フィンは、２つの弧状サイド板の外側に設けられることを特徴とする請求項７記載の灯管構造。
【請求項９】
前記放熱カバーの前記中央平面板は、波型の外表面を有することを特徴とする請求項８記載の灯管構造。
【請求項１０】
更に、灯管ヘッド及び端部カバーを含み、
前記灯管ヘッド及び前記端部カバーはそれぞれ前記中空管体の両端に組み付けられることを特徴とする請求項１記載の灯管構造。
【考案の詳細な説明】
【技術分野】
【０００１】
本考案は、灯管構造に関し、より詳細には平面的な発光面を有する灯管構造に関する。
【背景技術】
【０００２】
日常生活における照明は、必要不可欠な製品である。現在の照明は、電球および灯管が光源の大半を占めている。従来の灯管としては、蛍光管やハロゲン管が一般に用いられていた。発光ダイオード（Ｌｉｇｈｔ−Ｅｍｉｔｔｉｎｇ  Ｄｉｏｄｅ：ＬＥＤ）は、長寿命でかつ低消費電力であり、小型で耐衝撃性に優れているのでユーザーにとって安全である。このため、近年、光源として発光ダイオードを使用することが着々と普及しつつある。
【０００３】
従来のＬＥＤ灯管構造を開示する文献として下記の特許文献１がある。特許文献１に開示の発光灯管は、高温領域（Ｈ）と高温領域（Ｈ）の間の低温領域（Ｌ）とから構成される直管状又は環管状の蛍光灯又は全体が低温領域（Ｌ）から構成される直管状又は環管状のＬＥＤ灯において、上記灯管（１１）の少なくとも背面部分（１１Ａ）は収納空間を有する二重構造に形成され、上記収納空間にはソーラパネル（１４）が内蔵され、該ソーラパネル（１４）の起電力が通電線（１５）によって取り出される。このようなＬＥＤ灯管構造を用いることにより、既設の蛍光灯及びＬＥＤ灯と交換することで、ＬＥＤ灯管内で発電することができるようになる。
【先行技術文献】
【特許文献】
【０００４】
【特許文献１】特開２０１３−１６４９０６号公報
【考案の概要】
【考案が解決しようとする課題】
【０００５】
現在の灯管の構造は、通常、細長い円柱形の透明チューブ菅の内部に光源を備えており、光源が光を放射することによって円柱形の透明チューブ菅から光が放射されて発光するが、しかし、チューブ菅本体の発光面が円弧状であるため発光効率が悪い。しかも、透明チューブ菅本体全体がプラスチック製であるため冷却効率が悪く、照明のワット数を高めることもできないし、製品寿命を長寿命化することもできない。
【課題を解決するための手段】
【０００６】
そこで、上記問題を解決するために、本考案の灯管構造は、中空管体を含み、前記中空管体は、透光灯シェードと放熱カバーとを含み、前記透光灯シェードは、平面板と、前記平面板の両側から延伸する互いに対称な２つの弧状板とを備え、前記放熱カバーの両側縁は、それぞれ前記２つの弧状板の側縁に係合されている。
【０００７】
上記灯管構造の好ましい実施形態において、上記灯管構造は、灯管ボード及び電源モジュールを含み、前記灯管ボードは、前記透光灯シェード内に固定され、且つ、前記灯管ボードは、載置ボードと、前記載置ボードに配置される発光ユニットとを含み、前記電源モジュールは、前記放熱カバー内に固定されるとともに前記灯管ボードに電気的に接続される。
【０００８】
上記灯管構造の好ましい実施形態において、前記放熱カバーの両側縁の間には、水平板が設けられ、前記灯管ボードは、前記水平板に設けられる。
【０００９】
上記灯管構造の好ましい実施形態において、前記発光ユニットは、複数のＬＥＤ電球を含み、複数のＬＥＤ電球は、前記載置ボード上に固定して配列される。
【００１０】
上記灯管構造の好ましい実施形態において、前記透光灯シェードの前記平面板は、複数のＬＥＤ電球を覆っている。
【００１１】
上記灯管構造の好ましい実施形態において、前記放熱カバーは、金属製のカバーである。
【００１２】
上記灯管構造の好ましい実施形態において、前記放熱カバーの外側には、放熱フィンが設けられる。
【００１３】
上記灯管構造の好ましい実施形態において、前記放熱カバーは、中央平面板と、前記中央平面板の両側から延伸する２つの弧状サイド板を備え、前記放熱フィンは、２つの弧状サイド板の外側に設けられる。
【００１４】
上記灯管構造の好ましい実施形態において、前記放熱カバーの前記中央平面板は、波型の外表面を有する。
【００１５】
上記灯管構造の好ましい実施形態において、上記灯管構造は、更に、灯管ヘッド及び端部カバーを含み、前記灯管ヘッド及び前記端部カバーはそれぞれ前記中空管体の両端に組み付けられる。
【考案の効果】
【００１６】
本考案の灯管構造は、平面板と、前記平面板の両側から延伸する互いに対称な２つの弧状板とを備える透光灯シェードを用いることにより、透光灯シェードが平らな発光面を有するようにすることができる。これにより均一で柔らかい発光を放つことができる上に、透光灯シェードの幅を大きくすることができるので発光面積を向上させることができ、灯管の使用数量を減らすことができる。また透光灯シェードに取り付けられた放熱カバーの幅を広くすることができるので、放熱面積が大きくなり、灯管構造の放熱性を高めることができ、ワット数を向上させることができる。
【図面の簡単な説明】
【００１７】
【図１】本考案の一実施形態の灯管構造の立体斜視図である。
【図２】本考案の一実施形態の灯管構造の分解斜視図である。
【図３】本考案の一実施形態の灯管構造の断面図である。
【考案を実施するための形態】
【００１８】
本考案の具体的な特徴及び利点は、後述する実施形態で詳細に説明される。当該実施形態は、あらゆる当業者が本考案の技術的内容を理解し、実施することができるために十分なものであり、この内容並びに本明細書に開示された実用新案登録請求の範囲及び図面を考慮することによって、この分野における通常の知識を有する者であれば、この考案に関連する目的及び利点を容易に理解することができる。
【００１９】
図１、図２及び図３を参照して、本考案は、中空管体１０を含む灯管構造１を提案するものであり、中空管体１０は細長い中空の管状体であり、透光灯シェード１１と放熱カバー１５とを含む。図３の実施形態に示すように、中空管体１０の断面は円形よりもやや扁平な楕円形とされている。透光灯シェード１１は、可塑性の材質で構成されていてもよく、例えば、ポリカーボネート（ＰＣ：Ｐｏｌｙ‐Ｃａｒｂｏｎａｔｅ）で構成されていてもよい。透光灯シェード１１は、平面板１２と、当該平面板１２の両側から外側に延伸する互いに対称な２枚の弧状板１３とを有している。
【００２０】
放熱カバー１５の両側縁１６（２つの側縁）は、２枚の弧状板１３の縁にそれぞれ係合されている。そのうちの放熱カバー１５と透光灯シェード１１とは、透光灯シェード１１の両側が放熱カバー１５の両側縁１６（２側縁）に適切に通過し、特殊なクランプ接続やネジ接続などの方法で固定され、これによりお互いが一体の中空状の管体となって、透光灯シェード１１が放熱カバー１５から互いに分離したり離れ落ちたりすることなく、着脱可能に取り付けることができる。放熱カバー１５は、放熱性を有するものであればよく、金属製のカバーであることが好ましく、例えばアルミニウム材を用いることができるが、これに限らない。このように透光灯シェード１１が、平面板１２と、当該平面板１２の両側から延伸する互いに対称な２枚の弧状板１３とを有しているので、平らな発光面を有することになり、より均一でより柔らかい発光を得ることができる。
【００２１】
図２及び図３に示すように、灯管構造１は、更に、灯管ボード２０及び電源モジュール３０を含み、灯管ボード２０は、透光灯シェード１１内に固定される。また灯管ボード２０は、載置ボード２１と、当該載置ボード２１上に配置される発光ユニット２２とを含む。電源モジュール３０は、放熱カバー１５内に固定された灯管ボード２０に電気的に接続される。この電源モジュール３０が灯管ボード２０に電力を供給することにより、発光ユニット２２が透光灯シェード１１に光を照射し、透光灯シェード１１から光が透過される。透光灯シェード１１が平坦な発光面を有しているので、より均一で柔らかい発光にすることができる。発光ユニット２２は、複数のＬＥＤ電球２３を含んでいてもよく、複数のＬＥＤ電球２３は、載置ボード２１上に固定して配列されてもよく、例えば、複数のＬＥＤ電球２３が載置ボード２１上の長さ方向に１列又は複数列並べて固定されてもよい。様々な実施形態において、発光ユニット２２は、例えば、ハロゲンランプ又は赤外線光源等の他の光源を用いることもできるが、これらの形態には特に限定されない。
【００２２】
さらに、図３を参照して、透光灯シェード１１の平面板１２が複数のＬＥＤ電球２３を覆っているので、複数のＬＥＤ電球２３が透光灯シェード１１の平面板１２を照射することができ、平板状の発光面から放出される光をより均一に柔らかくすることができる。
【００２３】
また、図２及び図３を参照して、透光灯シェード１１の断面の形状が半円形でないことにより、透光灯シェード１１の幅をより大きくすることができ、発光面積をより大きくすることができる。また透光灯シェード１１に組み付けられる放熱カバー１５の幅を広くすることができるので、放熱面積が増大し、灯管構造１の放熱性を高めることができ、ワット数を高めることも可能となり、設計可能な電力の上限をさらに高めることができる。
【００２４】
さらに、図２及び図３に示すように、放熱カバー１５の両側縁１６の間には水平板１７が設けられ、灯管ボード２０が水平板１７上に設けられるので、透光灯シェード１１から複数のＬＥＤ電球２３までの距離を最も離間させることができる。これにより透光灯シェード１１が良好に発光し、ＬＥＤ電球２３が外部から見えることを防止することができる。また、灯管ボード２０と電源モジュール３０とが水平板１７によって分担されているので、これらの相互干渉を避けることができる。
【００２５】
図２に示すように、灯管構造１は、灯管ヘッド４０及び端部カバー５０をさらに含む。灯管ヘッド４０及び端部カバー５０はそれぞれ、中空管体１０の両端（２つの端部）に組み付けられ、これにより透光灯シェード１１と放熱カバー１５とを連結することができる。また灯管構造１は、灯管ヘッド４０及び端部カバー５０を介して灯管ホルダー（図示せず）に取り付けられてもよい。
【００２６】
図２及び図３に示すように、放熱カバー１５の形状は、透光灯シェード１１の形状と同一とすることができる。すなわち、放熱カバー１５は、中央平面板１８と、前記中央平面板１８の両側から外側に延伸する２つの弧状サイド板１９とを備えている。この２つの弧状サイド板１９が透光灯シェード１１の２枚の弧状板１３と組み合わせて中空管体１０の断面を扁平な略楕円形にすることで、様々な灯管ソケットに適合させることが可能となる。
【００２７】
図２及び図３を参照して、放熱カバー１５の外側に放熱フィン１９１が配置されることにより放熱効果をさらに向上することができる。また図３に示す実施形態では、放熱フィン１９１は、２枚の弧状サイド板１９の外側に設けられている。放熱カバー１５の中央平面板１８は波型の外表面１８１を有しているので、灯管ヘッド４０に嵌め込むことで冷却面積を増大させることができる。
【００２８】
以上の通り、本考案の灯管構造は、平面板と、前記平面板の両側から延伸する互いに対称な２つの弧状板とを備える透光灯シェードを用いることで、透光灯シェードが平らな発光面を有するようにすることができる。これにより均一で柔らかい発光を得ることができ、さらに透光灯シェードの幅を大きくすることができ、発光面積を向上させることができ、灯管の使用数量を減らすことができる。また透光灯シェードに結合する放熱カバーの幅を広くすることができるので、放熱面積が大きくなり、灯管構造の放熱性を高めることができ、ワット数を向上させることができる。
【００２９】
本考案は、本質的な技術的特徴又は精神を逸脱しない限りにおいて、他の実施形態によって当業者が実施し得ることもある。実用新案登録請求の範囲内又は本考案の範囲内におけるあらゆる変更は、本考案によってなされたものであることを意図している。
【符号の説明】
【００３０】
１    灯管構造
１０    中空管体
１１    透光灯シェード
１２    平面板
１３    孤状板
１５    放熱カバー
１６    側縁
１７    水平板
１８    中央平面板
１８１  波型の外表面
１９    弧状サイド板
１９１  放熱フィン
２０    灯管ボード
２１    載置ボード
２２    発光ユニット
２３  ＬＥＤ電球
３０    電源モジュール
４０    灯管ヘッド
５０    端部カバー
【図１】
0003217126.tif 000003
【図２】
0003217126.tif 000004
【図３】
0003217126.tif 000005